【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
光源から射出された光束を複数の部分光束に分割し、前記複数の部分光束を所定の被照明領域上に重畳し前記被照明領域を照明する照明光学装置と、
前記照明光学装置からの光束を画像情報に応じて変調する光変調装置と、
前記光変調装置にて変調された光束を拡大投射する投射光学装置と、を備え、
前記照明光学装置は、
入射光束を複数の部分光束に分割する複数の第１レンズ、および前記複数の第１レンズが形成される板状の第１ベース部を有する第１レンズアレイと、
前記複数の第１レンズに対応し前記複数の部分光束を集光する複数の第２レンズ、および前記複数の第２レンズが形成される板状の第２ベース部を有する第２レンズアレイと、を備え、
前記第１ベース部および前記第２ベース部のうち少なくともいずれかのベース部には、前記ベース部の外周端部の少なくとも一部から面外方向に突出する接続部が形成され、
前記第１レンズアレイおよび前記第２レンズアレイは、前記接続部により、前記第１ベース部および前記第２ベース部間に空隙部分を有した状態で互いに一体化されることを特徴とするプロジェクタ。
【請求項２】
請求項１に記載のプロジェクタにおいて、
前記第１ベース部および前記第２ベース部には、前記接続部がそれぞれ形成され、
各前記接続部には、突出方向先端部分に前記第１ベース部および前記第２ベース部に沿って延出する延出部がそれぞれ形成され、
前記第１レンズアレイおよび前記第２レンズアレイは、各前記延出部の互いに対向する各対向面が当接して一体化されることを特徴とするプロジェクタ。
【請求項３】
請求項１または請求項２に記載のプロジェクタにおいて、
前記空隙部分には、前記空隙部分を構成する前記第１レンズアレイおよび前記第２レンズアレイの内周面の少なくとも一部に熱伝達可能に接続する熱伝導性部材が配設されていることを特徴とするプロジェクタ。
【請求項４】
請求項１から請求項３のいずれかに記載のプロジェクタにおいて、
前記照明光学装置および前記光変調装置を内部に収納配置する光学部品用筐体を備え、
前記第１ベース部および前記第２ベース部間の空隙部分は、鉛直方向に空気を流通可能に形成され、
前記光学部品用筐体には、鉛直方向に交差する各端面に、前記第１レンズアレイおよび前記第２レンズアレイの配設位置に対応して前記光学部品用筐体内外に空気を流通可能とする開口部がそれぞれ形成されていることを特徴とするプロジェクタ。
【手続補正２】
【補正対象書類名】明細書
【補正対象項目名】発明の名称
【補正方法】変更
【補正の内容】
【発明の名称】プロジェクタ
【手続補正３】
【補正対象書類名】明細書
【補正対象項目名】０００１
【補正方法】変更
【補正の内容】
【０００１】
本発明は、プロジェクタに関する。
【手続補正４】
【補正対象書類名】明細書
【補正対象項目名】０００５
【補正方法】変更
【補正の内容】
【０００５】
本発明の目的は、小型化、軽量化、および低コスト化が図れるプロジェクタを提供することにある。
【手続補正５】
【補正対象書類名】明細書
【補正対象項目名】０００６
【補正方法】変更
【補正の内容】
【０００６】
本発明のプロジェクタは、光源から射出された光束を複数の部分光束に分割し、前記複数の部分光束を所定の被照明領域上に重畳し前記被照明領域を照明する照明光学装置と、前記照明光学装置からの光束を画像情報に応じて変調する光変調装置と、前記光変調装置にて変調された光束を拡大投射する投射光学装置と、を備え、前記照明光学装置は、入射光束を複数の部分光束に分割する複数の第１レンズ、および前記複数の第１レンズが形成される板状の第１ベース部を有する第１レンズアレイと、前記複数の第１レンズに対応し前記複数の部分光束を集光する複数の第２レンズ、および前記複数の第２レンズが形成される板状の第２ベース部を有する第２レンズアレイと、を備え、前記第１ベース部および前記第２ベース部のうち少なくともいずれかのベース部には、前記ベース部の外周端部の少なくとも一部から面外方向に突出する接続部が形成され、前記第１レンズアレイおよび前記第２レンズアレイは、前記接続部により、前記第１ベース部および前記第２ベース部間に空隙部分を有した状態で互いに一体化されることを特徴とする。
ここで、接続部としては、第１レンズアレイおよび第２レンズアレイのうち少なくともいずれかに形成されていればよく、例えば、第１レンズアレイおよび第２レンズアレイの双方に形成されている構成や、第１レンズアレイおよび第２レンズアレイのいずれか一方のレンズアレイにのみ形成されている構成を採用できる。
また、接続部は、ベース部の外周端部の少なくとも一部に形成されていればよく、その形成位置および数は、特に限定されない。
さらに、照明光学装置としては、光源装置と、上述した第１レンズアレイおよび第２レンズアレイを一体化したユニット（レンズアレイユニット）の他、第２レンズアレイとともに複数の部分光束を所定の被照明領域上に重畳する重畳レンズを備えた構成を採用してもよい。また、照明光学装置としては、重畳レンズを含む構成の他、光源装置および上述したレンズアレイユニットで構成し、第２レンズアレイに重畳レンズの機能を付加した構成を採用してもよい。
【手続補正６】
【補正対象書類名】明細書
【補正対象項目名】０００８
【補正方法】変更
【補正の内容】
【０００８】
本発明のプロジェクタでは、前記第１ベース部および前記第２ベース部には、前記接続部がそれぞれ形成され、各前記接続部には、突出方向先端部分に前記第１ベース部および前記第２ベース部に沿って延出する延出部がそれぞれ形成され、前記第１レンズアレイおよび前記第２レンズアレイは、各前記延出部の互いに対向する各対向面が当接して一体化されることが好ましい。
本発明では、接続部は、第１レンズアレイおよび第２レンズアレイの双方に形成される。そして、レンズアレイユニットは、各接続部に形成された延出部の各対向面が当接して第１レンズアレイおよび第２レンズアレイが互いに一体化される。このことにより、各延出部の各対向面を当接させながら、第１レンズアレイおよび第２レンズアレイの相互の位置調整を容易に実施でき、さらに、各対向面を固定することで第１レンズアレイおよび第２レンズアレイを容易に一体化できる。すなわち、レンズアレイユニットを容易に製造できる。また、このような各対向面を固定する構成であれば、第１レンズアレイおよび第２レンズアレイの固定領域を十分に確保でき、第１レンズアレイおよび第２レンズアレイの固定状態を良好に維持できる。
【手続補正７】
【補正対象書類名】明細書
【補正対象項目名】０００９
【補正方法】変更
【補正の内容】
【０００９】
本発明のプロジェクタでは、前記空隙部分には、前記空隙部分を構成する前記第１レンズアレイおよび前記第２レンズアレイの内周面の少なくとも一部に熱伝達可能に接続する熱伝導性部材が配設されていることが好ましい。
本発明によれば、空隙部分には熱伝導性部材が配設されているので、光束の照射により第１レンズアレイおよび第２レンズアレイの少なくともいずれかのレンズアレイに生じる熱を熱伝導性部材に放熱できる。このため、第１レンズアレイおよび第２レンズアレイの温度上昇を抑制できる。
また、第１レンズアレイおよび第２レンズアレイの温度上昇を抑制することで、第１レンズアレイおよび第２レンズアレイの接続状態を良好に維持できるとともに、第１レンズアレイおよび第２レンズアレイの熱による割れ等を回避できる。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本発明のプロジェクタでは、前記照明光学装置および前記光変調装置を内部に収納配置する光学部品用筐体を備え、前記第１ベース部および前記第２ベース部間の空隙部分は、鉛直方向に空気を流通可能に形成され、前記光学部品用筐体には、鉛直方向に交差する各端面に、前記第１レンズアレイおよび前記第２レンズアレイの配設位置に対応して前記光学部品用筐体内外に空気を流通可能とする開口部がそれぞれ形成されていることが好ましい。
本発明では、空隙部分が鉛直方向に空気を流通可能に構成され、光学部品用筐体の鉛直方向に交差する各端面にはレンズアレイユニットの配設位置に対応して内外に空気を流通可能とする開口部が形成されている。このことにより、例えば、冷却ファン等により、開口部を介して光学部品用筐体内部に空気を導入する構成とすれば、空隙部分に空気を鉛直方向に流通させ、開口部を介して光学部品用筐体外部に空気を排出できる。このため、光束の照射により第１レンズアレイおよび第２レンズアレイに生じる熱を空隙部分に流通する空気に放熱でき、第１レンズアレイおよび第２レンズアレイの温度上昇を抑制できる。
特に、上述した熱伝導性部材を併用することで、第１レンズアレイおよび第２レンズアレイの温度上昇を効果的に抑制し、上述した光の照度を良好に維持できるという効果を好適に図れる。また、第１レンズアレイおよび第２レンズアレイの温度上昇を効果的に抑制することで、第１レンズアレイおよび第２レンズアレイの接続状態を良好に維持できるとともに、第１レンズアレイおよび第２レンズアレイの熱による割れ等を回避できる。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】